(57)【要約】【課題】  開閉装置が設置された構造物の外からの情報により開閉体の開閉動作を容易に制御することができる。【解決手段】  受信手段を介してインターネット回線に接続された開閉体制御サーバ１０と、該開閉体制御サーバ１０から発信される指令により動作する開閉装置２０とを備え、前記開閉体制御サーバ１０が、入力したインターネット情報に応じて、開閉装置２０を制御するようにした。【選択図】  図１
2016211219.tif 000002
【特許請求の範囲】
【請求項１】
受信手段を介してインターネット回線に接続された開閉体制御サーバと、該開閉体制御サーバから発信される指令により動作する開閉装置とを備え、
前記開閉体制御サーバが、入力したインターネット情報に応じて、開閉装置を制御するようにしたことを特徴とする開閉装置制御システム。
【請求項２】
前記開閉体制御サーバが、気象情報を前記インターネット情報として入力し、この気象情報に応じて、開閉装置を制御するようにしたことを特徴とする請求項１記載の開閉装置制御システム。
【請求項３】
前記開閉体制御サーバが、移動体通信機器からインターネット回線に発信された開閉体制御信号を、前記インターネット情報として入力し、この開閉体制御信号に応じて、開閉装置を制御するようにしたことを特徴とする請求項１記載の開閉装置制御システム。
【請求項４】
前記開閉体制御サーバが、インターネット回線に接続されたＨＥＭＳコントローラから前記インターネット情報を得るようにしたことを特徴とする請求項１乃至３何れか１項記載の開閉装置制御システム。
【発明の詳細な説明】
【技術分野】
【０００１】
本発明は、オーバーヘッドドアを含むシャッター装置、ドア、雨戸を含む引戸、サッシ窓、門扉、ゲート、スライディングウォール装置、ロールスクリーン装置、ブラインド装置、オーニング装置等、開閉体を制御指令に応じて開閉動作するようにした開閉装置制御システムに関するものである。
【背景技術】
【０００２】
従来、この種の開閉装置制御システムには、例えば、特許文献１に記載されるもののように、窓硝子（ａ１）の外側に開閉体（ａ２）を有する開閉装置（Ａ）を、リモコン装置（１）の操作により建物内側から遠隔操作できるようにしたものがある。
ところで、前記従来の開閉装置制御システムによれば、使用者等の外出中に台風や竜巻等の警報が発せられた場合や、建物内の人が警報等に気が付かなかった場合等に、開閉体（ａ２）を閉鎖することができず、台風や竜巻等の被害を受けてしまうおそれがある。
また、使用者等の帰宅する時間が近いので予め開閉体（ａ２）を開放しておきたい場合にも、このような操作は困難である。
【先行技術文献】
【特許文献】
【０００３】
【特許文献１】特開２００８−７８８６５号公報
【発明の概要】
【発明が解決しようとする課題】
【０００４】
本発明は上記従来事情に鑑みてなされたものであり、その課題とする処は、開閉装置が設置された構造物の外からの情報により開閉体の開閉動作を容易に制御することができる開閉装置制御システムを提供することにある。
【課題を解決するための手段】
【０００５】
上記課題を解決するための一手段は、受信手段を介してインターネット回線に接続された開閉体制御サーバと、該開閉体制御サーバから発信される指令により動作する開閉装置とを備え、前記開閉体制御サーバが、入力したインターネット情報に応じて、開閉装置を制御するようにしたことを特徴とする。
【発明の効果】
【０００６】
本発明は、以上説明したように構成されているので、開閉装置が設置された構造物の外からの情報により開閉体の開閉動作を容易に制御することができる。
【図面の簡単な説明】
【０００７】
【図１】本発明に係る開閉装置制御システムの一例について、開閉装置制御サーバ側の構成を示すブロック図である。
【図２】同開閉装置制御システムの一例について、情報提供サーバ側の構成を示すブロック図である。
【図３】開閉体制御サーバの動作例を示すフローチャートである。
【図４】インターネット情報の概略イメージを示す図である。
【図５】開閉体制御サーバから各開閉装置へ送信される信号のフォーマットの一例を示す図である。
【図６】本発明に係る開閉装置制御システムの他例について、開閉装置制御サーバ側の構成を示すブロック図である。
【発明を実施するための形態】
【０００８】
本実施の形態の第一の特徴は、受信手段を介してインターネット回線に接続された開閉体制御サーバと、該開閉体制御サーバから発信される指令により動作する開閉装置とを備え、前記開閉体制御サーバが、入力したインターネット情報に応じて、開閉装置を制御するようにした。
この構成によれば、使用者等が外出中の場合等であっても、開閉装置が設置された構造物の外からの情報により開閉体を制御することができる。
【０００９】
第二の特徴としては、前記開閉体制御サーバが、気象情報を前記インターネット情報として入力し、この気象情報に応じて、開閉装置を制御するようにした。
なお、より具体的な好ましい態様としては、前記気象情報が予め記憶した閾値を超えたことを条件に、開閉装置を制御するようにする。
【００１０】
第三の特徴としては、前記開閉体制御サーバが、移動体通信機器からインターネット回線に発信された開閉体制御信号を、前記インターネット情報として入力し、この開閉体制御信号に応じて、開閉装置を制御するようにした。
【００１１】
第四の特徴としては、前記開閉体制御サーバが、インターネット回線に接続されたＨＥＭＳコントローラから前記インターネット情報を得るようにした。
【実施例】
【００１２】
次に、上記特徴を有する好ましい実施例を、図面に基づいて詳細に説明する。
【００１３】
この開閉装置制御システムは、図１に示すように、送受信手段を介してインターネット回線に接続された開閉体制御サーバ１０と、該開閉体制御サーバ１０から発信される指令により動作する複数の開閉装置２０とを備え、開閉体制御サーバ１０が、入力したインターネット情報に応じて、各開閉装置２０を制御する。
【００１４】
開閉体制御サーバ１０は、記憶装置に予め記憶されたプログラムによりＣＰＵを機能させるようにしたコンピュータであり、無線ルータ１１及びモデム１２を介してインターネット回線に接続（無線ＬＡＮ接続（WI-FI接続）又は有線ＬＡＮ接続）する通信手段と、特定小電力無線により複数の開閉装置２０と無線通信を行う送受信機とを具備している。
この開閉体制御サーバ１０は、インターネット回線に接続された移動体通信機器３０や、開閉装置管理団体の情報提供サーバ４０からインターネット情報を取り込む。このインターネット情報の取り込みは、無線ルータ１１及びモデム１２を介して行えばよいが、後述するＨＥＭＳコントローラ６０を有している場合（図６参照）には、このＨＥＭＳコントローラ６０を介して行うようにしてもよい。
【００１５】
開閉装置２０は、図示例によれば、建物の窓硝子の外側に設けられた窓シャッターであり、上下方向へ開閉動作する開閉体２１と、該開閉体２１をその上方側で収納したり繰り出したりする収納部２２とを備え、収納部２２内には、開閉体制御サーバ１０と無線通信を行うための送受信機（図示せず）が設けられている。
なお、図１中、符号２３は、各開閉装置２０に付属の操作用リモコンである。この操作用リモコン２３は、対応する開閉装置２０の近くで、該開閉装置２０に対する開放、停止、閉鎖の操作を可能にする。
【００１６】
移動体通信機器３０は、入力されたデータを演算処理するＣＰＵ、記憶装置、入出力装置、無線送受信機等を具備し、予め記憶されたプログラム（アプリ）により機能するように構成される。この移動体通信機器３０には、例えば、携帯電話や、スマートフォン、タブレットパソコン、ウェアラブルコンピュータ（例えば、腕時計タイプやメガネタイプ等を含む）、車載コンピュータ（運転補助用コンピュータや、カーナビゲーションシステム等を含む）等、周知の移動体通信システムにおける移動端末を用いればよい。この移動体通信機器３０は、ゲートウェイ等を介してインターネット回線に接続される。
前記プログラムは、例えば、移動体通信機器３０のタッチパネル上に開閉装置２０を開放、停止、閉鎖するためのボタンや、操作対象となる開閉装置２０を選択する画面等を表示し、該タッチパネルに対する操作に応じた制御指令を、インターネット回線を介して開閉体制御サーバ１０へ発信する。
【００１７】
情報提供サーバ４０は、例えば、シャッター装置の製造メーカやサービス会社、設置会社、セキュリティ会社等の開閉装置管理団体が保有するコンピュータである。この情報提供サーバ４０は、インターネット回線を介することで、気象情報管理団体のデータベースサーバ５０から気象情報等のインターネット情報を入手し、これらの情報を開閉体制御サーバ１０へ発信する。
【００１８】
データベースサーバ５０は、気象情報管理団体が保有するコンピュータであり、気象庁等から入手して記憶した気象情報を、インターネット回線を介して情報提供サーバ４０へ送信する。
ここで、前記気象情報は、予報・週間予報（住所や経緯度等の位置情報を指定可）、緊急情報（例えば、地震、津波、火山、注意報・警報・特別警報、台風情報、海上警報等）、観測情報、レーダー・メッシュ、天気図・衛星画像、数値情報、生活情報等とすることが可能である。
また、データベースサーバ５０と情報提供サーバ４０との間の通信は、例えばＦＴＰやＨＴＴＰなど、周知のプロトコル（必要に応じて暗号化してもよい）を用いて行えばよい。
【００１９】
次に、上記構成の開閉装置制御システムにおける開閉体制御サーバ１０の動作について、図３に示すフローチャートに沿って詳細に説明する。
先ず、開閉体制御サーバ１０は、無線ルータ１１及びモデム１２を介して、上述したインターネット情報を受信する（ステップ１）。
【００２０】
このインターネット情報は、例えば、現時点の気象情報等である。図４に示すインターネット情報の一例は、情報の種類が暴風警報、地域（位置情報）が○×市、最大風速が△△メートル、付加事項として竜巻発生の可能性があることを示している。これらの情報は、例えば数ビットのデータとして開閉体制御サーバ１０に入力される。
【００２１】
次に、開閉体制御サーバ１０は、入力されるインターネット情報の内容に応じて開閉装置２０を制御動作するか否かを判断し（ステップ２）、制御動作する場合には、次のステップ３へ処理を移行し、そうでなければステップ１へ処理を戻す。
ステップ３では、特定小電力無線により各開閉装置２０へ制御指令を発する。
この制御指令のフォーマットは、例えば、図５にイメージを示すように、先頭部分を示すヘッダーコード、開閉体制御サーバ１０固有のＩＤコード、制御対象となる開閉装置２０固有のＩＤコード、開閉装置２０に対する制御動作（例えば開放、停止、閉鎖）を示す制御コード等から構成される。
【００２２】
各開閉装置２０の制御回路（図示せず）は、前記制御指令を受信すると、前記開閉体制御サーバ１０固有のＩＤコードと前記開閉装置２０固有のＩＤコードが、それぞれ、予め記憶したＩＤに一致することを条件に、前記制御コードにより指定された制御動作を行う。
【００２３】
なお、開閉体制御サーバ１０による前記判断（ステップ２）及び前記制御指令（ステップ３）の例としては、例えば、前記位置情報が予め開閉体制御サーバ１０に入力された位置情報と一致し、且つ最大風速が、予め開閉体制御サーバ１０に入力された閾値を超えたことを条件に、全ての開閉装置２０を全閉位置まで閉鎖動作する等が挙げられる。
【００２４】
また、前記判断（ステップ２）及び前記制御指令（ステップ３）の他例として、は、前記位置情報が予め開閉体制御サーバ１０に入力された位置情報と一致し、且つ付加情報として竜巻発生の可能性があることを条件に、全ての開閉装置２０を全閉位置まで閉鎖動作する等が挙げられる。
【００２５】
また、前記判断（ステップ２）及び前記制御指令（ステップ３）の他例として、は、受信したインターネット情報が、移動体通信機器３０による開閉体制御信号である場合に、該開閉体制御信号に応じて、対象となる開閉装置２０を開放動作又は閉鎖動作させる等が挙げられる。
この構成によれば、例えば、使用者等の帰宅する時間が近いので予め開閉体２１を開放しておきたい場合等に、移動体通信機器３０の操作により開閉装置２０を開放動作させることも可能である。
【００２６】
また、ステップ１〜３の他例としては、前記インターネット情報として、現時点の降雨量を受信し、該降雨量が所定の閾値を超えたことを条件に、一部又は全ての開閉装置２０を閉鎖動作する等が挙げられる。
【００２７】
また、前記制御指令（ステップ３）の他例としては、予め開閉体制御サーバ１０に設定された開閉装置２０のタイマー制御に関する設定時刻を、前記気象情報等に応じて所定時間ずらすようにしてもよい。
具体例に説明すれば、開閉体制御サーバ１０は、入力した気象情報が曇りや雨を示す情報であることを条件に、予め設定されていた開閉装置２０の自動閉鎖の時刻を、所定時間早める処理を行う。
【００２８】
よって、上記構成の開閉装置制御システムによれば、使用者等が外出中の場合等、開閉装置２０の管理者が近くにいない場合でも、気象情報等のインターネット情報に応じて、各開閉装置２０を自動的に開閉動作させることができる。
【００２９】
次に、図６に示す開閉装置制御システムについて説明する。
この開閉装置制御システムは、上記実施例（図１参照）の構成を一部変更したものであるため、主にその変更部分について詳述し、上記実施例と共通する部分についての重複する説明を省略する。
図６に示す開閉装置制御システムは、上記開閉装置制御システム（図１参照）に対し、ＨＥＭＳコントローラ６０及び該ＨＥＭＳコントローラ６０に関連する機器を追加したものである。
【００３０】
ＨＥＭＳコントローラ６０は、開閉装置２０の設置対象となる建築物に設置されたＨＥＭＳ（Home Energy Management System）用のコントローラであり、家庭内で使われるエネルギーの管理を行う。
このＨＥＭＳコントローラ６０は、ハブ６１、無線ルータ１１及びモデム１２等を介してインターネット回線から気象情報等のインターネット情報を取り込み、該インターネット情報に応じて、例えば、太陽光パネル６２、エアコン６３、照明器具６４等の機器を制御したり、その制御状態をモニター６５に表示したりする。なお、図１中の符号６６は、ＨＥＭＳコントローラ６０を操作するための移動体通信機器（例えば、制御用プログラムがインストールされたスマートフォン等）である。
このＨＥＭＳコントローラ６０に取り込まれる前記インターネット情報は、ハブ６１を介して開閉体制御サーバ１０に送信される。
【００３１】
図６の開閉装置制御システムの処理について説明すれば、開閉体制御サーバ１０は、上記ステップ１（図３参照）において、ＨＥＭＳコントローラ６０及びハブ６１等、又は無線ルータ１１及びモデム１２を介して、上述したインターネット情報を受信する（ステップ１）。ステップ２以降の処理は、先の実施例と同様である。
【００３２】
よって、図６に示す開閉装置制御システムによれば、既設のＨＥＭＳコントローラ６０を有効利用してインターネット情報を開閉体制御サーバ１０に取り込むことができ、さらには、ＨＥＭＳコントローラ６０を介してＨＥＭＳ関連機器（例えば、太陽光パネル６２や、エアコン６３、照明器具６４等）の情報を開閉体制御サーバ１０に取り込み、このＨＥＭＳ関連機器情報に応じて、開閉装置２０を制御することも可能になる。
【００３３】
なお、上記実施例によれば、インターネット情報により開閉装置２０を制御するようにしたが、他例としては、開閉体制御サーバ１０と各開閉装置２０間を相互通信可能に構成して、各開閉装置２０の開閉状態を、移動体通信機器３０にディスプレイ表示させることも可能である。
【００３４】
また、上記実施例によれば、開閉体制御サーバ１０が入力したインターネット情報に応じて各開閉装置２０へ制御指令を発するようにしたが（ステップ３）、他例としては、前記制御指令の発信と同時に、開閉体制御サーバ１０が前記ステップ３の完了を無線ルータ１１及びモデム１２等を介して所定のメールアドレスへ通知する態様や、開閉体制御サーバ１０が移動体通信機器３０に直接アクセスして前記ステップ３の完了を通知する態様、開閉体制御サーバ１０が前記ステップ３を完了したことを示す情報を履歴として記憶装置（開閉体制御サーバ１０内の記憶装置及び開閉体制御サーバ１０外の記憶装置を含む）に記録するようにした態様、これらの態様を適宜に組み合わせてなる態様等とすることが可能である。
【００３５】
また、上記実施例によれば、必要に応じてＨＥＭＳコントローラ６０から開閉体制御サーバ１０へインターネット情報を取り込めるようにしたが、他例としては、ＨＥＭＳコントローラ６０以外のインターネット接続機器から開閉体制御サーバ１０へ、気象情報等の上記インターネット情報を取り込むようにすることも可能である。
【００３６】
また、上記実施例によれば、ＨＥＭＳコントローラ６０について、一般的に定義されるＨＥＭＳを用いたが、このＨＥＭＳコントローラ６０は、インターネット情報を取り込める機能を有するものであればよく、他の機能については、エネルギーマネジメント機能に特化したものや、あるいはエネルギーマネジメント機能を有さずに家電・住設機器をコントロールするもの等とすることが可能である。
【００３７】
また、上記実施例によれば、開閉体制御サーバ１０と開閉装置２０間の通信を特定小電力無線により行うようにしたが、他例としては、これらの間の通信を、ブルートゥース規格による近距離無線通信や、有線通信等により行うことも可能である。
【符号の説明】
【００３８】
１０：開閉体制御サーバ
２０：開閉装置
２１：開閉体
３０：移動体通信機器
４０：情報提供サーバ
５０：データベースサーバ
６０：ＨＥＭＳコントローラ
【図１】
2016211219.tif 000003
【図２】
2016211219.tif 000004
【図３】
2016211219.tif 000005
【図４】
2016211219.tif 000006
【図５】
2016211219.tif 000007
【図６】
2016211219.tif 000008